(57)【要約】      （修正有）【課題】省電力で利便性の高い無線通信装置、ホスト端末、及び無線通信システムを提供する。【解決手段】無線通信装置３は、ホスト端末と無線通信する無線通信装置であって、電源回路６１と、通信回路６２と、無線タグ３１と、制御回路６５と、を具備する。電源回路６１は、バッテリを備える。通信回路６２は、バッテリの電力により前記ホスト端末に対して搬送波を出力し、ホスト端末と無線通信を行う。無線タグ３１は、ホスト端末から出力された搬送波により起動し、ホスト端末と無線通信を行うパッシブ型の無線タグである。制御回路６５は、無線タグが起動した場合、通信回路６２にバッテリからの電力を供給しないスリープ状態から、通信回路６２にバッテリからの電力を供給する起動状態に切り替える。【選択図】図３
2018207257.tif 000002
【特許請求の範囲】
【請求項１】
ホスト端末と無線通信する無線通信装置であって、
バッテリを備える電源回路と、
前記バッテリの電力により前記ホスト端末に対して搬送波を出力し、前記ホスト端末と無線通信を行う通信回路と、
前記ホスト端末から出力された搬送波により起動し、前記ホスト端末と無線通信を行うパッシブ型の無線タグと、
前記無線タグが起動した場合、前記通信回路に前記バッテリからの電力を供給しないスリープ状態から、前記通信回路に前記バッテリからの電力を供給する起動状態に切り替える制御回路と、
を具備する無線通信装置。
【請求項２】
前記制御回路は、前記無線タグが起動し且つ前記ホスト端末から送信された特定のコマンドを前記無線タグが受信した場合、前記スリープ状態から前記起動状態に切り替える請求項１に記載の無線通信装置。
【請求項３】
情報を記憶するメモリをさらに具備し、
前記制御回路は、スリープ状態から起動状態に切り替えた場合、前記メモリに記憶されている情報を前記通信回路により前記ホスト端末に送信する請求項１または２に記載の無線通信装置。
【請求項４】
無線通信装置と無線通信するホスト端末であって、
前記無線通信装置が具備する無線タグを起動させ、前記無線タグと無線通信を行うタグリーダと、
前記無線通信装置が具備する第１の通信回路と無線通信を行う第２の通信回路と、
前記タグリーダにより特定のコマンドを前記無線通信装置の前記無線タグに送信し、前記無線通信装置の前記第１の通信回路を起動させ、前記第２の通信回路により前記第１の通信回路と無線通信を行わせる制御回路と、
を具備するホスト端末。
【請求項５】
ホスト端末、及び前記ホスト端末と無線通信する無線通信装置とを具備する無線通信システムであって、
前記無線通信装置は、
バッテリを備える電源回路と、
前記バッテリの電力により前記ホスト端末に対して搬送波を出力し、前記ホスト端末と無線通信を行う第１の通信回路と、
前記ホスト端末から出力された搬送波により起動し、前記ホスト端末と無線通信を行うパッシブ型の無線タグと、
前記無線タグが起動した場合、前記第１の通信回路に前記バッテリからの電力を供給しないスリープ状態から、前記第１の通信回路に前記バッテリからの電力を供給する起動状態に切り替える第１の制御回路と、
を具備し、
前記ホスト端末は、
前記無線タグを起動させ、前記無線タグと無線通信を行うタグリーダと、
前記第１の通信回路と無線通信を行う第２の通信回路と、
を具備する無線通信システム。
【発明の詳細な説明】
【技術分野】
【０００１】
本発明の実施形態は、無線通信装置、ホスト端末、及び無線通信システムに関する。
【背景技術】
【０００２】
例えば、音及び振動などの物理量を測定するセンサが、道路や橋脚などの建造物に設置されている。このようなセンサは、バッテリを備える無線通信装置に接続される。無線通信装置は、センサから測定結果を取得し、無線通信端末と無線通信を行うホスト端末に測定結果を送信する。
【０００３】
無線通信装置の消費電力が大きいと、バッテリの交換の頻度が高くなる。この為、設定された時刻になるまで通信機能を停止して電力の消費を抑えるスリープ状態を維持し、設定された時刻になった場合に通信機能を起動し、ホスト端末と通信する無線通信装置がある。
【０００４】
しかしながら、上記のような構成では、設定された時刻になるまで無線通信装置からセンサにおける測定結果を取得することができないという課題がある。
【先行技術文献】
【特許文献】
【０００５】
【特許文献１】特開２０１２−２３９１３７号公報
【発明の概要】
【発明が解決しようとする課題】
【０００６】
本発明が解決しようとする課題は、省電力で利便性の高い無線通信装置、ホスト端末、及び無線通信システムを提供することである。
【課題を解決するための手段】
【０００７】
一実施形態に係る無線通信装置は、ホスト端末と無線通信する無線通信装置であって、電源回路と、通信回路と、無線タグと、制御回路と、を具備する。電源回路は、バッテリを備える。通信回路は、前記バッテリの電力により前記ホスト端末に対して搬送波を出力し、前記ホスト端末と無線通信を行う。無線タグは、前記ホスト端末から出力された搬送波により起動し、前記ホスト端末と無線通信を行うパッシブ型の無線タグである。制御回路は、前記無線タグが起動した場合、前記通信回路に前記バッテリからの電力を供給しないスリープ状態から、前記通信回路に前記バッテリからの電力を供給する起動状態に切り替える。
【図面の簡単な説明】
【０００８】
【図１】図１は、一実施形態に係る無線通信システムの例について説明する為の図である。
【図２】図２は、一実施形態に係るホスト端末の構成例について説明する為の図である。
【図３】図３は、一実施形態に係る無線通信装置の構成例について説明する為の図である。
【図４】図４は、一実施形態に係る無線通信システムの動作の例について説明する為の図である。
【図５】図５は、一実施形態に係る無線通信システムの動作の他の例について説明する為の図である。
【発明を実施するための形態】
【０００９】
以下、一実施形態に係る無線通信装置、ホスト端末、及び無線通信システムについて、図面を用いて説明する。
【００１０】
（第１の実施形態）  
図１は、無線通信システム１の概要について説明する為の説明図である。図２は、ホスト端末２について説明する為の説明図である。図３は、無線通信装置３について説明する為の説明図である。図４は、無線通信装置及びホスト端末の動作について説明する為の説明図である。
【００１１】
図１に示されるように、無線通信システム１は、ホスト端末２及び無線通信装置３を備える。無線通信システム１は、例えば道路や橋脚などの建造物４に設置されたセンサ５における測定結果を、センサ５に接続された無線通信装置３からホスト端末２に無線通信によって送信するシステムである。無線通信システム１は、無線通信装置３の消費電力を抑え、且つ無線通信装置３から測定結果をホスト端末２が取得する際の利便性を損ねることなく、無線通信装置３及びホスト端末２を運用する為のシステムである。
【００１２】
ホスト端末２は、無線通信装置３と無線通信する。ホスト端末２は、無線通信装置３がセンサ５から取得した測定結果を無線通信装置３に送信させる。
【００１３】
無線通信装置３は、センサ５から測定結果を取得する。無線通信装置３は、ホスト端末２と無線通信する。無線通信装置３は、ホスト端末２から測定結果が要求された場合、センサ５から取得した測定結果をホスト端末２に送信する。
【００１４】
センサ５は、温度及び振動などの物理量を測定する。センサ５は、道路や橋脚などの建造物４に設置される。センサ５は、例えば温度センサである。また、センサ５は、例えば加速度センサである。センサ５は、無線通信装置３からのコマンドに応じて物理量の測定を実行する。また、センサ５は、無線通信装置３からのコマンドに応じて測定結果を無線通信装置３に供給する。センサ５は、無線通信装置３から電力の供給を受けて物理量の測定を実行する構成であってもよいし、自身がバッテリを備える構成であってもよい。また、センサ５は、電源を必要としないアナログセンサであってもよい。
【００１５】
ホスト端末２と無線通信装置３とは、第１の通信方式と第２の通信方式とのいずれかによって無線通信を行う。
【００１６】
第１の通信方式は、Radio Frequency IDentification（ＲＦＩＤ）の通信方式であり、一方の機器（マスタ）が搬送波を出力し、他方の機器（スレーブ）が受信した搬送波によって起動し、応答を返す方式である。第１の通信方式では、例えば第１の周波数の電磁波が通信に用いられる。例えば第１の通信方式は、ＩＳＯ  １８０００‐６３規格で定められた方式である。第１の通信方式では、搬送波を受け取る機器がバッテリを備えていない構成であっても、搬送波から誘導電流を生成するまたは搬送波を整流することにより、動作することができる。
【００１７】
第２の通信方式は、データを送信する側の機器が搬送波を出力する方式である。第２の通信方式では、例えば第２の周波数の電磁波が通信に用いられる。例えば第２の通信方式は、ＩＥＥＥ（アイトリプルイー）８０２．１５．４ｇ規格で定められた方式である。第２の通信方式は、送信側の機器と受信側の機器との間の距離が、第１の通信方式より遠い距離であっても通信が可能である。また、第２の通信方式は、第１の通信方式に比べて大きい容量のデータを送信することができる。しかし、第２の通信方式は、送信側の機器が搬送波を出力する構成である為、第１の通信方式におけるスレーブと比べて消費電力が大きくなる。
【００１８】
ホスト端末２は、図２に示されるように、タグリーダ１１、ディスプレイ１２、操作部材１３、及び無線通信回路１４を備える。
【００１９】
タグリーダ１１は、電磁波を出力することによって、無線タグと通信を行う。タグリーダ１１は、第１の通信方式によって無線タグと通信を行う。タグリーダ１１は、アンテナ及び信号処理回路を備える。
【００２０】
アンテナは、電磁波を送受信するアンテナである。アンテナは、共振周波数が第１の周波数となるように構成されている。タグリーダ１１のアンテナは、例えば、無線通信回路１４からの電力の供給を受けて電磁波を出力することにより、無線通信装置３に搬送波を供給する。
【００２１】
信号処理回路は、無線通信回路１４の制御に応じてアンテナから出力する電磁波を変調することにより、他の機器にデータを送信する。また、信号処理回路は、アンテナが受信した電磁波に基づいて、他の機器が送信したデータを復調し、無線通信装置３に供給する。
【００２２】
このような構成によると、タグリーダ１１は、受け取った電力によって動作するパッシブ型の無線タグに対して、アンテナから搬送波を供給する。これにより、タグリーダ１１は、パッシブ型の無線タグを起動させる。さらに、タグリーダ１１は、パッシブ型の無線タグに対してコマンドを送信し、パッシブ型の無線タグにコマンドに応じた動作を実行させる。またさらに、タグリーダ１１は、パッシブ型の無線タグのコマンドに応じた動作の結果の応答を受信する。特定の無線タグのみにコマンドに応じた動作を実行させる場合には、無線タグに動作の指示に加えて、無線タグを指定する指示を識別情報（ＩＤ）と共に送信する。これにより、タグリーダ１１は、ＩＤで指定した無線タグにコマンドに応じた動作を実行させることができる。
【００２３】
ディスプレイ１２は、無線通信回路１４から供給された画面を表示する表示装置である。例えば、ディスプレイ１２には、ホスト端末２の動作を決定する為の操作画面が表示される。また、ディスプレイ１２には、無線通信装置３が送信した測定結果が表示される。
【００２４】
操作部材１３は、操作に応じた操作信号を無線通信回路１４に供給する。操作部材１３は、例えば、タッチセンサ、テンキー、電源キー、用紙フィードキー、種々のファンクションキー、またはキーボードなどである。タッチセンサは、例えば、抵抗膜式タッチセンサ、または静電容量式タッチセンサ等である。タッチセンサは、ある領域内において指定された位置を示す情報を取得する。タッチセンサは、ディスプレイ１２と一体にタッチパネルとして構成されることにより、ディスプレイ１２に表示された画面上のタッチされた位置を示す信号を無線通信回路１４に入力する。
【００２５】
無線通信回路１４は、電磁波を出力することによって、無線通信装置３と通信を行う。無線通信回路１４は、第２の通信方式によって無線通信装置３と通信を行う。無線通信回路１４は、電源回路２１、通信回路２２、メモリ２３、及び制御回路２４を備える。
電源回路２１は、バッテリを備える。電源回路２１は、ホスト端末２の各部にバッテリの電力を供給する。即ち、電源回路２１は、タグリーダ１１、ディスプレイ１２、操作部材１３、及び無線通信回路１４に対してバッテリの電力を供給する。
【００２６】
通信回路２２は、第２の通信方式によって無線通信装置３と無線通信を行う為の回路である。通信回路２２は、アンテナ及び信号処理回路を備える。
【００２７】
通信回路２２のアンテナは、電磁波を送受信するアンテナである。通信回路２２のアンテナは、共振周波数が第２の周波数となるように構成されている。
【００２８】
通信回路２２の信号処理回路は、電源回路２１から供給された電力を用いてアンテナから電磁波を出力する。通信回路２２の信号処理回路は、制御回路２４の制御に応じてアンテナから出力する電磁波を変調することにより、他の機器にデータを送信する。また、通信回路２２の信号処理回路は、アンテナが受信した電磁波に基づいて、他の機器が送信したデータを復調し、制御回路２４に供給する。
【００２９】
メモリ２３は、種々の情報を記憶する記憶領域を備える。メモリ２３は、制御回路２４により測定結果が書き込まれる記憶領域を備える。
【００３０】
制御回路２４は、無線通信回路１４及びホスト端末２の種々の構成の動作を制御する回路である。制御回路２４は、演算処理を実行する演算素子（たとえば、ＣＰＵ）と、演算素子が実行するプログラムを記憶したメモリとを備え、演算素子がプログラムを実行することにより、各種の制御を行う構成である。なお、制御回路２４は、各種の制御を行う為のハードウェアの組み合わせにより構成されていてもよい。
【００３１】
制御回路２４は、例えば、第１の通信方式に準じた無線通信を行うように、タグリーダ１１の動作を制御する。制御回路２４は、所定の操作が行われた場合、タグリーダ１１を制御することにより、無線通信装置３の状態を切り替える為のコマンドを第１の通信方式により無線通信装置３に送信する。なお、無線通信装置３の状態を切り替える為のコマンドを通信要求コマンドと称する。
【００３２】
また、制御回路２４は、例えば、第２の通信方式に準じた無線通信を行うように、通信回路２２の動作を制御する。制御回路２４は、所定の操作が行われた場合、通信回路２２を制御することにより、センサ５の測定結果を要求するコマンドを第２の通信方式により無線通信装置３に送信する。なお、無線通信装置３にセンサ５の測定結果を要求する為のコマンドを結果要求コマンドと称する。
【００３３】
無線通信装置３は、図３に示されるように、無線タグ３１と、無線通信回路３２とを備える。
【００３４】
無線タグ３１は、ホスト端末２から出力された電磁波によって生じた電力により動作するパッシブ型の無線タグである。無線タグ３１は、ホスト端末２のタグリーダ１１と第１の通信方式によって通信を行う。無線タグ３１は、タグアンテナ４１と、タグＩＣ４２とを備える。
【００３５】
タグアンテナ４１は、電磁波を送受信するアンテナである。タグアンテナ４１は、共振周波数が第１の周波数となるように構成されている。タグアンテナ４１は、ホスト端末２が無線通信により送信した無線信号を受信し、タグＩＣ４２に供給する。
【００３６】
タグＩＣ４２は、タグリーダ１１との通信に関する信号処理、演算処理、記憶処理などを実行する。タグＩＣ４２は、タグ電源部５１、タグ記憶部５２、及びタグ制御部５３を備える。
【００３７】
タグ電源部５１は、タグアンテナ４１で受信した搬送波を整流し、タグＩＣ４２の動作電力として各部に供給する電源回路である。
【００３８】
タグ記憶部５２は、データとプログラムを記憶するメモリである。タグ記憶部５２は、無線通信装置３固有または無線タグ３１固有の識別情報（ＩＤ）を記憶する。タグ記憶部５２は、タグリーダから送信されるコマンドに応じた処理を行うためのプログラムを記憶する。
【００３９】
タグ制御部５３は、タグアンテナ４１から供給された無線信号に応じて種々の処理を行う。タグ制御部５３は、演算素子を備える。タグ制御部５３は、演算素子がタグ記憶部５２に記憶されたプログラムを実行することにより、種々の処理を実行する。
【００４０】
タグ制御部５３は、タグアンテナ４１から供給された無線信号を復号し、ホスト端末２のタグリーダ１１が送信したコマンドを取得する。タグ制御部５３は、タグリーダ１１が送信したコマンドに基づいて処理を行う。タグ制御部５３は、コマンドに基づく処理の結果に基づいて、タグリーダ１１にレスポンスを第１の通信方式を用いて送信する。タグリーダ１１が送信したコマンドにタグを指定する指示とＩＤが含まれている場合には、タグ制御部５３は、取得したＩＤと、タグ記憶部５２に記憶されているＩＤとを比較して、一致した場合に、タグリーダ１１が送信したコマンドに基づいた処理やレスポンスの送信を行う。
【００４１】
例えば、タグ制御部５３は、タグを指定する指示と共に通信要求コマンドを受信した場合、コマンドに含まれるＩＤと、タグ記憶部５２に記憶されているＩＤとを比較する。タグ制御部５３は、ＩＤが一致した場合、無線通信回路３２に対して起動コマンドを送信する。起動コマンドは、無線通信回路３２の動作の状態を切り替える為のコマンドである。起動コマンドは、例えば、特定の伝文やパルス信号、信号ラインのレベルをＬｏｗレベルからＨｉｇｈレベルに切り替えるまたはＨｉｇｈレベルからＬｏｗレベルに切り替えるなどである。
【００４２】
上記したように、無線タグ３１は、ホスト端末２のタグリーダ１１から出力された電磁波によって生じた電力により起動する。さらに、無線タグ３１は、タグリーダ１１から通信要求コマンドを受信した場合、無線通信回路３２に対して起動コマンドを送信することによって、無線通信回路３２の動作の状態を切り替える。
【００４３】
無線通信回路３２は、電磁波を出力することによって、ホスト端末２の無線通信回路１４と無線通信を行う。無線通信回路３２は、第２の通信方式によってホスト端末２の無線通信回路１４と通信を行う。無線通信回路３２は、電源回路６１、通信回路６２、メモリ６３、インタフェース６４、及び制御回路６５を備える。
【００４４】
電源回路６１は、バッテリを備える。電源回路６１は、無線通信回路３２の各部にバッテリの電力を供給する。即ち、電源回路６１は、通信回路６２及び制御回路６５に対してバッテリの電力を供給する。また、電源回路６１は、センサ５にバッテリの電力を供給する構成であってもよい。
【００４５】
電源回路６１が備えるバッテリは、例えば二次電池である。電源回路６１は、図示されない太陽電池などの環境発電を行う装置から電力を受け取り、二次電池に充電する。
【００４６】
通信回路６２は、電源回路６１から供給された電力を用いて、第２の通信方式によってホスト端末２の無線通信回路１４と無線通信を行う為の回路である。通信回路６２は、アンテナ及び信号処理回路を備える。
【００４７】
通信回路６２のアンテナは、電磁波を送受信するアンテナである。通信回路６２のアンテナは、共振周波数が第２の周波数となるように構成されている。
【００４８】
通信回路６２の信号処理回路は、アンテナにより送受信する信号に対して所定の信号処理を施す。例えば、信号処理回路は、制御回路６５の制御に応じてアンテナから出力する電磁波を変調することにより、他の機器にデータを送信する。また例えば、信号処理回路は、アンテナが受信した信号を復調することにより、他の機器が送信したデータを取得し、制御回路６５に供給する。
【００４９】
メモリ６３は、種々の情報を記憶する記憶領域を備える。メモリ６３は、制御回路６５により測定結果が書き込まれる記憶領域を備える。
【００５０】
インタフェース６４は、センサ５と通信する為のインタフェースである。インタフェース６４は、センサ５から供給される測定結果を制御回路６５に供給する。また、インタフェース６４は、制御回路６５から供給されたコマンドをセンサ５に供給する。またさらに、インタフェース６４は、電源回路６１によるセンサ５への電源供給も中継する。
【００５１】
制御回路６５は、無線通信回路３２の種々の構成の動作を制御する回路である。制御回路６５は、演算処理を実行する演算素子（たとえば、ＣＰＵ）と、演算素子が実行するプログラムを記憶したメモリとを備え、演算素子がプログラムを実行することにより、各種の制御を行う構成である。なお、制御回路６５は、各種の制御を行う為のハードウェアの組み合わせにより構成されていてもよい。
【００５２】
制御回路６５は、例えば、第２の通信方式に準じた無線通信を行うように、通信回路６２の動作を制御する。制御回路６５は、例えば、第２の通信方式に準じた無線通信によって結果要求コマンドを受信した場合、制御回路６５は、インタフェース６４を介してセンサ５にコマンドを送信することにより、センサ５に測定を実行させる。センサ５において測定が終了すると、制御回路６５は、インタフェース６４を介してセンサ５から測定結果を取得する。さらに、制御回路６５は、取得した測定結果を、第２の通信方式に準じた無線通信によってホスト端末２に送信する。また、制御回路６５は、センサ５から取得した測定結果をメモリ６３に書き込む構成であってもよい。
【００５３】
制御回路６５は、無線通信回路３２をスリープ状態と起動状態とのいずれかの動作モードで動作させる。
【００５４】
スリープ状態は、無線通信回路３２の全体の消費電力を抑えるモードである。具体的には、スリープ状態は、無線通信回路３２における無線通信を停止させるモードである。即ち、スリープ状態である場合、通信回路６２に電源回路６１からの電力が供給されない状態となる。即ち、無線通信回路３２がスリープ状態である場合、無線通信装置３は、第１の通信方式による無線通信が有効であり、第２の無線通信方式による無線通信が無効な状態となる。なお、無線通信回路３２がスリープ状態である場合、制御回路６５は、タグ制御部５３からの起動コマンドを受信する機能を除く、全ての機能を停止させる構成であってもよい。
【００５５】
起動状態は、無線通信回路３２における無線通信を動作可能な状態で維持するモードである。即ち、無線通信回路３２が起動状態である場合、通信回路６２に電源回路６１からの電力が供給される状態となる。無線通信回路３２が起動状態である場合、無線通信装置３は、第１の通信方式による無線通信と第２の無線通信方式による無線通信との両方が有効な状態となる。このように、スリープ状態は、起動状態に比べて電源回路６１のバッテリの電力消費を抑えることができる動作モードである。
【００５６】
制御回路６５は、スリープ状態から所定の条件に従って起動状態に切り替える。例えば、制御回路６５は、無線タグ３１から起動コマンドを受信した場合、スリープ状態から起動状態に切り替える。
【００５７】
制御回路６５は、起動状態から所定の条件に従ってスリープ状態に切り替える。例えば、制御回路６５は、最後に第２の通信方式により何らかのコマンドを受信してから一定時間経過後に、起動状態からスリープ状態に切り替える。また、制御回路６５は、最後に特定のコマンドを受信した場合に起動状態からスリープ状態に切り替える構成でもよい。また、制御回路６５は、測定結果をホスト端末２に送信し、受信確認（ＡＣＫ）を受け取ったら、起動状態からスリープ状態に切り替える構成であってもよい。
【００５８】
次に、図４を参照し、無線通信装置３及びホスト端末２の動作について説明する。
【００５９】
まず、無線通信装置３の無線通信回路３２は、スリープ状態になっているものとする（ＡＣＴ１１）。
【００６０】
操作部材１３によって所定の操作が行われた場合、ホスト端末２のタグリーダ１１は、第１の通信方式によって通信要求コマンドを無線通信装置３に送信する（ＡＣＴ１２）。
【００６１】
無線通信装置３の無線タグ３１は、タグリーダ１１から出力される搬送波によって起動する。無線タグ３１のタグ制御部５３は、起動し且つ通信要求コマンドを受信した場合、タグ記憶部５２に記憶されたＩＤを含むＩＤ情報を、タグリーダ１１に送信する（ＡＣＴ１３）。さらに、タグ制御部５３は、起動コマンドを無線通信装置３の無線通信回路３２に供給する（ＡＣＴ１４）。
【００６２】
無線通信回路３２の制御回路６５は、起動コマンドを受信すると、無線通信回路３２の動作モードをスリープ状態から起動状態に切り替える（ＡＣＴ１５）。即ち、制御回路６５は、通信回路６２に電源回路６１からの電力が供給されるように電源回路６１を制御することによって、無線通信回路３２の動作モードをスリープ状態から起動状態に切り替える。制御回路６５は、起動状態で動作する間、第２の通信方式によるコマンドの受信を待つ状態になる（ＡＣＴ１６）。
【００６３】
操作部材１３によって所定の操作が行われた場合、ホスト端末２の無線通信回路１４は、第２の通信方式によって結果要求コマンドを無線通信装置３に送信する（ＡＣＴ１７）。
【００６４】
無線通信装置３の無線通信回路３２は、結果要求コマンドを受信すると、受信確認であるＡＣＫをホスト端末２に送信する（ＡＣＴ１８）。さらに、無線通信回路３２は、センサ５にコマンドを送信することにより、センサ５に測定を実行させる。これにより、無線通信回路３２は、センサ５から測定結果を取得する（ＡＣＴ１９）。無線通信回路３２は、センサから測定結果を取得すると、取得した測定結果を第２の通信方式によってホスト端末２に送信する（ＡＣＴ２０）。
【００６５】
ホスト端末２の無線通信回路１４は、測定結果を受信すると、受信確認であるＡＣＫを無線通信装置３に送信する（ＡＣＴ２１）。
【００６６】
さらに、無線通信装置３の無線通信回路３２は、ホスト端末２からのＡＣＫを受信した後、予め設定された時間内に通信が発生しない場合、スリープ状態に移行する（ＡＣＴ２２）。
【００６７】
上記したように、無線通信装置３は、受信した搬送波から電力を得て動作し、第１の通信方式によりホスト端末２と無線通信を行う無線タグ３１と、バッテリから供給される電力で動作し、第２の通信方式によりホスト端末２と無線通信を行う無線通信回路３２とを備える。無線通信回路３２は、第２の通信方式による無線通信を行わないスリープ状態と、第２の通信方式による無線通信が可能な起動状態とのいずれかで動作する。無線タグ３１は、ホスト端末２から第１の通信方式により通信要求コマンドを受信した場合、無線通信回路３２を起動状態にする為のコマンドを無線通信回路３２に入力する。このような構成によると、無線通信装置３は、測定結果の送信が可能な起動状態に比べて消費電力の少ないスリープ状態で、常時コマンドを受信可能な第１の通信方式によりホスト端末２から通信要求コマンドが入力されるのを待つことができる。さらに、無線通信装置３は、第１の通信方式によりホスト端末２から通信要求コマンドが入力された場合、スリープ状態から起動状態に動作モードを切り替えることで、測定結果を任意のタイミングでホスト端末２に送信することができる。この結果、省電力で利便性の高い無線通信装置３を提供することができる。
【００６８】
また、無線通信装置３は、第１の通信方式によりホスト端末２から通信要求コマンドが入力された場合、通信要求コマンドに含まれるＩＤと自身が記憶しているＩＤとを比較し、一致した場合、スリープ状態から起動状態に動作モードを切り替える。この構成によると、ホスト端末２の通信範囲に複数の無線通信装置が存在する場合であっても、任意の無線通信装置に測定を行わせることができる。
【００６９】
（第２の実施形態）  
次に、第２の実施形態について説明する。第１の実施形態では、無線通信装置３は、スリープ状態から起動状態に切り替わり、且つ第２の通信方式によって測定結果の送信を要求する結果要求コマンドを受信した場合、センサ５から取得した測定結果をホスト端末２に送信する構成であると説明したが、この構成に限定されない。無線通信装置３は、スリープ状態から起動状態に切り替わる際に、結果要求コマンドを受信することなく、測定結果をホスト端末２に送信する構成であってもよい。なお、第２の実施形態は、第１の実施形態と構成が同じである為、構成の詳細な説明を省略する。
【００７０】
無線通信回路３２の制御回路６５は、予め取得したスケジュールをメモリ６３に記憶する。スケジュールは、センサ５に測定を実行させるタイミングを示す情報である。具体的には、スケジュールは、日時を示す情報または時間間隔を示す情報などである。
【００７１】
制御回路６５は、無線通信回路３２がスリープ状態である時に、スケジュールを逐次確認する。制御回路６５は、メモリ６３に記憶されたスケジュールに基づくタイミングで、センサ５に測定を実行させる為のコマンドを入力する。これにより、制御回路６５は、メモリ６３に記憶されたスケジュールに基づくタイミングでセンサ５から測定結果を取得し、メモリ６３に蓄積していく。これにより、無線通信回路３２は、予め定められたスケジュールに従って、センサ５による測定結果をメモリ６３に蓄積する。
【００７２】
制御回路６５は、第１の通信方式によりホスト端末２から通信要求コマンドが無線タグ３１に入力され、無線タグ３１から起動コマンドが入力された場合、無線通信回路３２をスリープ状態から起動状態に切り替える。さらに、制御回路６５は、無線通信回路３２をスリープ状態から起動状態に切り替えた場合、メモリ６３に蓄積された測定結果をホスト端末２に第２の通信方式によって送信する。
【００７３】
図５は、第２の実施形態に係る無線通信装置３及びホスト端末２の動作について説明する為の説明図である。
【００７４】
まず、無線通信装置３の無線通信回路３２は、スリープ状態になっているものとする（ＡＣＴ３１）。
【００７５】
操作部材１３によって所定の操作が行われた場合、ホスト端末２のタグリーダ１１は、第１の通信方式によって通信要求コマンドを無線通信装置３に送信する（ＡＣＴ３２）。
【００７６】
無線通信装置３の無線タグ３１は、タグリーダ１１から出力される搬送波によって起動する。無線タグ３１のタグ制御部５３は、起動し且つ通信要求コマンドを受信した場合、タグ記憶部５２に記憶されたＩＤを含むＩＤ情報を、タグリーダ１１に送信する（ＡＣＴ３３）。さらに、タグ制御部５３は、起動コマンドを無線通信装置３の無線通信回路３２に供給する（ＡＣＴ３４）。
【００７７】
無線通信回路３２の制御回路６５は、起動コマンドを受信すると、無線通信回路３２の動作モードをスリープ状態から起動状態に切り替える（ＡＣＴ３５）。即ち、制御回路６５は、通信回路６２に電源回路６１からの電力が供給されるように電源回路６１を制御することによって、無線通信回路３２の動作モードをスリープ状態から起動状態に切り替える。さらに、制御回路６５は、メモリ６３に蓄積された測定結果をホスト端末２に第２の通信方式によって送信する（ＡＣＴ３６）。
【００７８】
ホスト端末２の無線通信回路１４は、測定結果を受信すると、受信確認であるＡＣＫを無線通信装置３に送信する（ＡＣＴ３７）。
【００７９】
さらに、無線通信装置３の無線通信回路３２は、ホスト端末２からのＡＣＫを受信した後、予め設定された時間内に通信が発生しない場合、スリープ状態に移行する（ＡＣＴ３８）。
【００８０】
上記したように、無線通信装置３の無線通信回路３２は、第２の通信方式による無線通信を行わず且つ予め設定されたスケジュールに基づきセンサ５から測定結果を取得するスリープ状態と、第２の通信方式による無線通信が可能な起動状態とのいずれかで動作する。無線タグ３１は、ホスト端末２から第１の通信方式により通信要求コマンドを受信した場合、無線通信回路３２を起動状態にする為のコマンドを無線通信回路３２に入力する。無線通信回路３２は、無線タグ３１から起動コマンドが入力された場合、スリープ状態から起動状態に切り替えるとともに、メモリ６３に蓄積されている測定結果をホスト端末２に第２の通信方式により送信する。このような構成によると、無線通信装置３は、スリープ状態である間にセンサ５から取得した測定結果を、ホスト端末２と通信可能になった時にまとめて送信することができる。この結果、利便性をさらに向上させることができる。
【００８１】
なお、上記の第１及び第２の実施形態では、無線タグ３１は、通信要求コマンドを受け取った場合に無線通信回路３２に起動コマンドを供給する構成であると説明したが、この構成に限定されない。無線タグ３１は、ホスト端末２からのコマンドに応じて、タグ記憶部５２の特定の領域に特定の値を書きこまれた場合、起動コマンドを無線通信回路３２に供給する構成であってもよい。また、無線タグ３１は、通信要求コマンドの受け取りによらず、ホスト端末２からの搬送波を受けて起動した場合に、無線通信回路３２に起動コマンドを供給する構成であってもよい。
【００８２】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【００８３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８４】
１…無線通信システム、２…ホスト端末、３…無線通信装置、４…建造物、５…センサ、１１…タグリーダ、１２…ディスプレイ、１３…操作部材、１４…無線通信回路、２１…電源回路、２２…通信回路、２３…メモリ、２４…制御回路、３１…無線タグ、３２…無線通信回路、４１…タグアンテナ、４２…タグＩＣ、５１…タグ電源部、５２…タグ記憶部、５３…タグ制御部、６１…電源回路、６２…通信回路、６３…メモリ、６４…インタフェース、６５…制御回路。
【図１】
2018207257.tif 000003
【図２】
2018207257.tif 000004
【図３】
2018207257.tif 000005
【図４】
2018207257.tif 000006
【図５】
2018207257.tif 000007